(57)【要約】  本発明は、光担体又はディスクにデータを書き込むことが可能な光ドライブであって、調節可能な電力レベルＶＳＬを伴うレーザドライバ装置を備えた当該光ドライブに関連している。この光ドライブは、ある書込み速度で光担体にデータを書き込むために放射ビーム５を発することが可能な放射源４と、データ信号ＮＲＺに応じて放射源に制御電流を与える電子回路手段を有するレーザドライバ装置ＬＤＤとを有する。電子回路手段は、光担体へのデータ書込み速度に応じて調節される電力レベルＶＳＬを持つ調節可能な電力供給部ＲＥＧ＿ＳＵＰ，３２により供給される。従って、この光ドライブは、既知の解決策と比較して低減された電力損失を持つ。これは、放射源、例えばレーザの長くなった寿命及び低減された電力の使用をもたらす。
2009514132.tif 000002
【特許請求の範囲】
【請求項１】
関連する光担体にデータを書き込むことが可能な光ドライブであって、
所定の書込み速度で前記関連する光担体にデータを書き込むために放射ビームを発することが可能な放射源と、
クロック信号及びデータ信号に応じて前記放射源に制御電流を与える電子回路手段を有するレーザドライバ装置と、
前記電子回路手段に供給する調節可能な電力供給部と
を有し、
前記電子回路手段の少なくとも一部に対する前記電力供給部の電力レベルは、前記関連する光担体へのデータ書込み速度に応じて調節される当該光ドライブ。
【請求項２】
前記電子回路手段は、前記クロック信号から内部クロッキング信号を生成するクロック発生器を有している請求項１記載の光ドライブ。
【請求項３】
前記電子回路手段は、ライトストラテジ発生器を有している請求項１記載の光ドライブ。
【請求項４】
前記電子回路手段は、前記放射源への前記制御電流を生成する電流駆動手段を有している請求項１記載の光ドライブ。
【請求項５】
前記電子回路手段は、前記放射源への前記制御電流を制御するレーザドライバ装置制御器を有している請求項１ないし４のいずれか１項に記載の光ドライブ。
【請求項６】
前記電子回路手段は、論理回路手段を有している請求項１記載の光ドライブ。
【請求項７】
前記内部クロッキング信号は、前記クロック発生器に対する前記電力供給部の前記電力レベルに依存する最大値を持つクロック周波数を有する請求項２記載の光ドライブ。
【請求項８】
前記電子回路手段の少なくとも一部に対する前記電力供給部の前記電力レベルは、前記関連する光担体への前記データ書込み速度に依存して最小にされる請求項１記載の光ドライブ。
【請求項９】
前記電子回路手段の少なくとも一部に対する前記電力供給部の前記電力レベルは、反復プロセスにおいて調節される請求項１記載の光ドライブ。
【請求項１０】
書込み速度のプロファイルは、角速度一定（ＣＡＶ）、擬似的な角速度一定（ＰＣＡＶ）及びゾーン単位で線速度一定（ＺＣＬＶ）の群から選択される請求項１記載の光ドライブ。
【請求項１１】
光ドライブにおいて関連する光担体に所定の書込み速度でデータを書き込むために関連する放射源を制御するレーザドライバ装置であり、
入力クロック信号及び入力データ信号に応じて前記放射源に制御電流を与える電子回路手段を有し、この電子回路手段は関連する調節可能な電力供給部により供給され、
前記電子回路手段の少なくとも一部は、前記関連する光担体へのデータ書込み速度に応じて調節される電力レベルで動作する当該レーザドライバ装置。
【請求項１２】
光担体にデータを書き込むことが可能な光ドライブを動作させる方法であって、
所定の書込み速度で前記光担体にデータを書き込むために放射源を用いて放射ビームを発するステップと、
クロック信号及びデータ信号に応じて前記放射源に制御電流を与える電子回路手段を有するレーザドライバ装置から前記制御電流を与えるステップと、
前記電子回路手段に調節可能な電力供給を施すステップと、
前記光担体への前記データ書込み速度に応じて前記電子回路手段の少なくとも一部に対する前記電力供給部の電力レベルを調節するステップと
を有する当該方法。
【請求項１３】
データ記憶手段を備えた少なくとも１つのコンピュータを有するコンピュータシステムが請求項１２記載の方法に従って光ドライブを制御することができるように構成されたコンピュータプログラム製品。
【発明の詳細な説明】
【技術分野】
【０００１】
本発明は、関連する光担体にデータを書き込むことが可能な光ドライブであって、調節可能な電力レベルを伴うレーザドライバ装置を持つ当該光ドライブに関する。本発明は、また、対応するレーザドライバ装置（ＬＤＤ）及び光ドライブを動作させる方法に関する。
【背景技術】
【０００２】
近年、光ディスク又は担体上への光記録が、ますます多くのアプリケーションにおいて適用されている。これは、より高い記録密度及び記録速度、すなわちデータが光ディスクに書き込まれる速度の増加への対応する要求を伴ってきた。書込みレーザを制御するために、記録されるデータに適切なライトストラテジを実現する目的でレーザ制御信号がレーザドライバに伝送される必要がある。
【０００３】
多くの光ドライブでは、上記ライトストラテジは、高い書込みの品質を得るように光ピックアップユニット（ＯＰＵ）のレーザの近くのレーザドライバと一体化されている。しかしながら、これは、最大の許容可能な温度を上回るレーザの加熱を招くので、上記ＯＰＵの電力損失を大きな問題にしてしまう。その結果、これは、レーザの寿命を縮め、スピンダウンを引き起こす及び／又は書込みの品質を低下させもする。電力損失、特に上記ＯＰＵの電力損失を低減するいかなる対策もが、これらの問題を解決することを手助けするであろう。また、ラップトップ型コンピュータ、個人用携帯情報端末（ＰＤＡ）等のような携帯型コンピュータユニットの増えつつある要求のために、バッテリの使用がますます重要な課題になってきている。
【０００４】
日本の公開特許公報ＪＰ２０００−３３９６８８４には、記録又は消去以外の動作状態、すなわち読出しでの熱生成／電力消費を低減するために非動作状態において光ドライブの制御回路及び記録回路を設けることにより、光ドライブのＯＰＵの電力損失を低減する方法が開示されている。そのため、この方法は、記録又は消去が読出しよりも高いレーザ出力レベルを必要とするにもかかわらず、記録又は消去の間における熱生成又は電力損失を低減しない。従って、この方法は、光ドライブのＯＰＵの電力損失の問題を部分的にしか解決しない。
【０００５】
よって、改善された光ドライブが有利であり、特に、より効率的な及び／又は信頼性の高い光ドライブが有利である。
【発明の開示】
【発明が解決しようとする課題】
【０００６】
従って、本発明は、単独で又は任意の組み合わせで、上述した不都合の１つ又はそれ以上をなるべく緩和、軽減又は解消しようとする。特に、先行技術の上述した電力損失の問題を少なくとも部分的に解決する光ドライブを提供することが、本発明の目的であると理解され得る。
【課題を解決するための手段】
【０００７】
この目的及び幾つかの他の目的は、関連する光担体にデータを書き込むことが可能な光ドライブであって、所定の書込み速度で上記関連する光担体にデータを書き込むために放射ビームを発することが可能な放射源と、クロック信号及びデータ信号に応じて上記放射源に制御電流を与える電子回路手段を有するレーザドライバ装置（ＬＤＤ）と、上記電子回路手段に供給する調節可能な電力供給部とを有し、上記電子回路手段の少なくとも一部に対する上記電力供給部の電力レベルが、上記関連する光担体へのデータ書込み速度に応じて調節される当該光ドライブを提供することにより、本発明の第１の観点において達成される。
【０００８】
本発明は、特に、従来の解決策と比較して低減された電力損失を持つ光ドライブのレーザドライバ装置を得るために有利であるが、これに限定されない。これは、放射源、例えばレーザの長くなった寿命及び低減された電力の使用をもたらす。本発明のこれらの利点は、その時の書込み速度に依存して調節される電力レベルを上記レーザドライバ装置の電子回路の少なくとも一部に供給することによって得られる。これは、以下により詳細に説明されるように書込みプロセスの動作性能及び／又は品質を低下させることなく得られることに注意されたい。
【０００９】
上記電子回路手段は、好ましくは書込みプロセスに必要なより高い分解能のクロッキング信号を生成するように、クロック信号から内部クロッキング信号を生成するクロック発生器、例えば位相同期ループ（ＰＬＬ）回路を有していることが有利である。また、上記電子回路手段は、ライトストラテジを実現することが可能なライトストラテジ発生器を有していてもよい。更に、上記電子回路手段は、放射源への制御電流を生成する電流駆動手段を有していてもよい。
【００１０】
更に、上記電子回路手段は、放射源への制御電流を制御するレーザドライバ装置制御器を有していてもよい。電子回路手段の一部は、ＣＭＯＳ回路等のような倫理回路を有し得る。典型的には、上記内部クロッキング信号は、上記クロック発生器に対する上記電力供給部の上記電力レベルに依存する最大値を持つクロック周波数を有する。従って、本発明は、光ドライブを動作させるために必要なクロック周波数に従って電力レベルを有利に調節する。
【００１１】
上記電子回路手段の少なくとも一部に対する上記電力供給部の上記電力レベルは、光ドライブの、特に該ドライブの光ピックアップユニット（ＯＰＵ）に関して低い電力損失を得るように、上記関連する光担体への上記データ書込み速度に依存して最小にされることが有利である。上記電子回路手段の少なくとも一部に対する上記電力供給部の上記電力レベルは、電力損失の更なる低減を得るように、反復プロセスにおいて調節されることがより一層有利である。
【００１２】
本発明の光ドライブは、角速度一定（ＣＡＶ）、擬似的な（pseudo）角速度一定（ＰＣＡＶ）及びゾーン単位で（zoned）線速度一定（ＺＣＬＶ）の群から選択される書込み速度のプロファイルで動作することが有利である。これらの書込み速度のプロファイルは、線速度一定ではない点で共通である。
【００１３】
第２の観点では、本発明は、光ドライブにおいて関連する光担体に所定の書込み速度でデータを書き込むために関連する放射源を制御するレーザドライバ装置（ＬＤＤ）であり、入力クロック信号及び入力データ信号に応じて上記放射源に制御電流を与える電子回路手段を有し、この電子回路手段は関連する調節可能な電力供給部により供給され、上記電子回路手段の少なくとも一部は、上記関連する光担体へのデータ書込み速度に応じて調節される電力レベルで動作する当該レーザドライバ装置に関連する。
【００１４】
第３の観点では、本発明は、光担体にデータを書き込むことが可能な光ドライブを動作させる方法であって、所定の書込み速度で上記光担体にデータを書き込むために放射源を用いて放射ビームを発するステップと、クロック信号及びデータ信号に応じて上記放射源に制御電流を与える電子回路手段を有するレーザドライバ装置（ＬＤＤ）から上記制御電流を与えるステップと、上記電子回路手段に調節可能な電力供給を施すステップと、上記光担体への上記データ書込み速度に応じて上記電子回路手段の少なくとも一部に対する上記電力供給部の電力レベルを調節するステップとを有する当該方法に関連する。
【００１５】
第４の観点では、本発明は、関連するデータ記憶手段を備えた少なくとも１つのコンピュータを有するコンピュータシステムが本発明の上記第３の観点に従って光記録ドライブを制御することができるように構成されたコンピュータプログラム製品に関連する。
【００１６】
本発明のこの観点は、本発明が、コンピュータシステムが本発明の上記第３の観点の動作を実行することができるコンピュータプログラム製品により実現され得る点で有利であるが、これに限定されない。従って、既知の光記録装置又はドライブの中には、上記光記録装置を制御するコンピュータシステムにコンピュータプログラム製品をインストールすることにより本発明による動作に変更され得るものもあることが考えられる。そのようなコンピュータプログラム製品は、任意の種類のコンピュータにより読出し可能な媒体、例えば磁気若しくは光をベースとする媒体に、又はコンピュータをベースとするネットワーク、例えばインターネットを介して与えられ得る。
【００１７】
本発明の上記第１、第２、第３及び第４の観点は、任意の他の観点とそれぞれ組み合わせられ得る。本発明のこれらの観点及びその他の観点は、以下に述べられる実施の形態から明らかであり、実施の形態を参照して説明されるであろう。
【発明を実施するための最良の形態】
【００１８】
これから、本発明が、添付の図面を参照して単に例として説明される。
【００１９】
図１は、本発明に係る光装置又はドライブと光情報担体１とを示している。担体１は、保持手段３０により固定され、回転する。
【００２０】
上記担体１は、放射ビーム５を用いて情報を記録するのに適した材料を有している。この記録材料は、例えば、光磁気タイプ、相変化タイプ、色素タイプ、Ｃｕ／Ｓｉのような金属合金又は任意の他の好適な材料のものであり得る。情報は、書換え可能な媒体の場合にはマークとも呼ばれる光学的に検出可能な領域の形で担体１に記録され得る。
【００２１】
上記装置は、光ピックアップ（ＯＰＵ）と呼ばれることもある光ヘッド２０を有しており、光ヘッド２０は作動手段２１、例えば電気的ステッピングモータにより移動可能である。光ヘッド２０は、光検出システム１０と、レーザドライバ装置３０と、放射源４と、ビームスプリッタ６と、対物レンズ７と、担体１の半径方向及び焦点方向の両方にレンズ７を移動させることが可能なレンズ移動手段９とを有している。光ヘッド２０は、また、３箇所の差動プッシュプルラジアルトラッキングに用いるために放射ビーム５を少なくとも３つの成分に分割することが可能な格子若しくはホログラフィパターンのようなビーム分割手段２２又は任意の他の適用可能な制御方法も有し得る。
【００２２】
上記光検出システム１０の機能は、担体１から反射した放射８を電気信号に変換することである。従って、光検出システム１０は、１つ又はそれ以上の電気出力信号を生成することが可能な幾つかの光検出器、例えばフォトダイオード、電荷結合素子（ＣＣＤ）等を有している。上記光検出器は、エラー信号、すなわち焦点エラーＦＥ及びラジアルトラッキングエラーＲＥの検出を可能にするように、互いに対して空間的に、十分な時間分解能で設けられている。焦点エラーＦＥ及びラジアルトラッキングエラーＲＥ信号は、担体１上における放射ビーム５の半径方向の位置及び焦点の位置を制御するためにＰＩＤ（比例−積分−微分）制御手段の使用により動作する一般的に知られているサーボ機構が適用されるプロセッサ５０に伝送される。
【００２３】
放射ビーム又は光ビーム５を発する放射源４は、例えば、放射の可変出力、また場合によっては可変波長も伴う半導体レーザであり得る。代替として、放射源４は１つ以上のレーザを有し得る。本発明の状況の中で、「光」という用語は、可視光、紫外光（ＵＶ）、赤外光（ＩＲ）等のような光記録及び／又は再生に好適な任意の種類の電磁放射を有するとみなされる。
【００２４】
上記放射源４は、レーザドライバ装置（ＬＤＤ）３０により制御される。レーザドライバ装置（ＬＤＤ）３０は、プロセッサ５０から伝送されるクロック信号ＣＬ及びデータ信号ＮＲＺに応じて放射源４に制御電流を与える（図１には示されていない）電子回路手段を有している。調節可能な電力供給部３２が上記電子回路手段に電力を供給し、この電力供給部３２の電力レベルはプロセッサ５０から調節可能に制御される。本発明によれば、電力供給部３２の電力レベルは、光担体１へのデータ書込み速度に応じて調節される。
【００２５】
上記プロセッサ５０は、光検出手段１０からの信号を受け取り、解析する。このプロセッサ５０は、図１に模式的に示されているように、作動手段２１、放射源４、レンズ移動手段９及び回転手段３０にも制御信号を出力することができる。同様に、プロセッサ５０は、参照符号６１で示されているデータを受け取ることができるとともに、参照符号６０で示されているような読出しプロセスからのデータを出力することが可能である。
【００２６】
図２は、簡略化されたブロック図で本発明を説明しており、この図では図１の幾つかの構成要素が再度示されている。特に、プロセッサ５０は、担体１に書き込まれるデータ６１を受け取り、該当する記録技術に関する適切な規格に従ってこのデータ６１を（ゼロに戻らない）符号化データＮＲＺに変換する。データＮＲＺは、対応するクロック信号とともに、該ＮＲＺデータを放射源、例えばレーザ４への駆動電流のパルス列に変換するレーザドライバ装置３０に伝送される。レーザドライバ装置３０及びレーザ４は、図２に示されているように、ＯＰＵ２０内に位置している。供給部３２及びプロセッサ５０への接続は、「フレックス」としても知られているフラットフレキシブルコネクタ（図示せず）を介してである。
【００２７】
上記プロセッサ５０は、また、制御信号ＣＯＮ＿ＶＳＬを電力供給部３２に伝送することにより調整される電力供給部ＲＥＧ＿ＳＵＰ３２の電力レベルを制御する。上記電力供給部は、アプリケーションに依存して、未処理の供給部（raw supply）７０、すなわち電源又はバッテリにより供給される。電力供給部３２は、電圧ＶＳＬにより与えられる電力レベルを出力する。これまで、先行技術の解決策の場合、電力供給部３２の出力電圧は例えば２．５Ｖ等に名目上実質的に固定されていたが、本発明は、光ドライブの書込み速度に応じてこのレベルが動的に調節されることを可能にする。
【００２８】
図３は、レーザドライバ装置３０に含まれる構成要素を模式的に示したレーザドライバ装置３０のブロック図である。データ信号ＮＲＺ及びクロック信号ＣＬが、プロセッサ５０（図示せず）から与えられる。位相同期ループＰＬＬ回路において、クロック信号ＣＬからより高い分解能のクロックが生成される。代替として、遅延同期ループ（ＤＬＬ）が適用され得る。上記ＮＲＺのクロック周波数は、担体１への書込み速度により設定される。従って、書込み速度が増加すると、ＮＲＺのクロック周波数は高くなり、それに応じてＰＬＬのクロック周波数が高くなる。しかしながら、上記ＰＬＬが入力クロックをチャンネルのクロックレートまで増大させる手段を与える場合、ＮＲＺのクロック周波数はチャンネルのクロック周波数と同じである必要はない。
【００２９】
上記ＮＲＺ信号は、マーク／スペース長検出器Ｍ／Ｓに与えられ、更に、データ信号はライトストラテジ発生器ＷＳＧに伝送される。発生器ＷＳＧはレーザ４に制御電流を伝送する電流駆動回路ＣＵＲを制御し、その結果、レーザ４は担体１に適切なマークを書込むために対応するレーザビーム５を発する。レーザ駆動装置３０の全体の動作は、ＬＤＤ制御器ＬＤＤ  ＣＯＮにより制御される。
【００３０】
本発明の有利な実施の形態では、レーザ駆動装置３０の電子部品のうちの１つ又はそれ以上は、書込み速度に依存して低減された電力レベルで供給される。従って、本発明の一実施の形態では、上記ＰＬＬの論理回路が低減された電圧レベルＶＳＬで供給される。図４において、供給電圧ＶＳＬに依存する最大の位相同期ループ（ＰＬＬ）の周波数を示すグラフは、ほぼ直線関係を有することが分かる。本発明によれば、上記ＬＤＤの電力損失を極力抑えるために、ある書込み速度、すなわちチャンネルのクロック周波数において論理回路の供給電圧ＶＳＬを同調させるようにこの関係が用いられる。一般に、標準的なＣＭＯＳのような論理回路は、ｆＣＶ２（ｆは論理回路の動作の実効周波数であり、Ｃはハイからローまでを繰り返す論理回路の実効キャパシタンスであり、Ｖは図４に示されているような回路における漏れ／抵抗負荷のために追加の小さいＤＣ成分を伴うローレベルとハイレベルとの電圧差である。）の関係により与えられる電力損失を有する。
【００３１】
書込み速度に依存して、プロセッサ５０は、論理回路の供給電圧ＶＳＬの値を制御することができる。この制御はアナログ方式であってもよく、例えば、プロセッサ５０は、調整器の出力がＤＡＣにより決定される値の範囲をとり得るように調整器の制御フィードバック電圧に影響を及ぼすためにＤＡＣを用いる。他のより単純な方法は、幾つかの供給電圧レベルＶＳＬ（例えば、１つは高速用のハイであり、１つは低速用のローである。）を用いることである。デジタル制御可能な調整器もまた用いられ得る。
【００３２】
本発明の一実施の形態では、プロセッサ５０が供給電圧とＬＤＤ３０の電子回路手段の１つ又はそれ以上の制御パラメータとの特徴的な関係に基づいて供給電圧ＶＳＬを決めるキャリブレーション手続きにより、上記電子回路手段への電力供給部ＲＥＧ＿ＳＵＰの電力レベルＶＳＬを調節するために、閉ループ又は反復プロセスが適用される。従って、ＬＤＤ３０がキャリブレーション中に必要とされる電圧を監視することができる場合であっても、そうではない場合であっても、供給電圧ＶＳＬのより正確な値が用いられ得る。１つの例は、ＰＬＬのロッキングが任意の所与の論理回路電圧ＶＳＬにおいて制限因子であるようにシステムを設計することである。ＰＬＬがロック状態にあるかどうかを調べることにより、十分に大きい論理回路電圧ＶＳＬが与えられているかどうかが決定され得る。反復プロセスに時間が使われることもあるが、電力損失の更なる低減は達成され得る。これは図５に説明されており、以下を参照されたい。
【００３３】
この反復プロセスが適用されない場合、書込み速度に応じた供給電圧ＶＬＳの設定は、ＬＤＤ内のルックアップテーブル又は供給電圧ＶＬＳと書込み速度との経験的な関数関係により与えられ得る。これは、反復のフィードバックが存在しない所謂開ループの実施の形態である。この開ループの実施の形態の場合、設定値は、設計段階の間又は工場での調整の間に固定される。上記開ループの実施の形態から及び上記反復の閉ループの実施の形態の場合の両方に関してレーザドライバ装置ＬＤＤの機能を低減しないために、供給電圧ＶＳＬに対する適切な安全マージンが考慮されるべきである。
【００３４】
図５では、結果は、アナログ方式（ＤＡＣ）の制御で調整される供給部ＲＥＧ＿ＳＵＰを用いて本発明により得られる低減された電力消費及び調節された供給電圧ＶＳＬを明示している。この例では、１６倍速ＤＶＤＣＡＶ（角速度一定）方式の光ドライブのディスクへのデータの書込みが、ディスクの内側では６．２倍速で行われ、ディスクの外側では１６倍速で行われる。しかしながら、明らかに、書込み速度のプロファイルの任意のＣＬＶではない他のタイプ（例えば、ＣＡＶ，ＰＣＡＶ，ＺＣＬＶ）に対して同じ方法が用いられ、これは任意の光担体に対して行われ得る。従って、例えばＣＤ，ＤＶＤ，ＨＤ−ＤＶＤ又はＢＤのような媒体は、本発明のためになり得る。
【００３５】
先行技術のシステムの場合、調整されるスタンドアローンの論理回路供給電圧は、ディスク全体にわたって１６倍速の動作（このケースではチャンネルのクロックが２６．１５６２５ＭＨｚであるので、約４２０ＭＨｚ）に対して選択されなければならない。図５に上側のグラフにおいて分かるように、論理回路供給電圧ＶＬＳは２．５Ｖで一定であり、本発明の開ループ及び閉ループの実施の形態は、ディスクの内側からディスクの外側までにわたって上昇する供給電圧ＶＳＬを持つ。従って、論理回路供給電圧ＶＳＬは、６．２倍速に十分なレベルで内側で始まり、ディスクの外側に書込みが進行するに従って、必要な書込み速度で動作するように必要に応じてプロセッサ５０により高くされる。本発明によれば、供給電圧ＶＳＬは、１．７Ｖから２．５Ｖまでの幅で調節される。しかしながら、当業者であれば本発明の一般的原理が認められることをすぐに理解するように、本発明の教示はこの電圧の幅に制限されるものではない。論理回路における電力損失の固有の問題のために、本発明が特により一層低い電圧レベルにおけるアプリケーションを見出し得ることが考えられる。
【００３６】
図５の下側のグラフには、先行技術のシステムと本発明の開ループ及び閉ループの実施の形態とに関する得られた電力損失が示されている。予想通り、先行技術のシステムの電力損失は周波数とともに直線的に増大しているが、本発明の適用が電力損失を著しく低減している。本発明の閉ループの実施の形態は、開ループの実施の形態よりも少ない電力損失を有することに注意されたい。
【００３７】
図６は、光ドライブを駆動させる本発明に係る方法の流れ図である。この方法は、
Ｓ１：所定の書込み速度で光担体１にデータを書き込むために放射源４を用いて放射ビーム５を発するステップと、
Ｓ２：クロック信号ＣＬ及びデータ信号ＮＲＺに応じて放射源４に制御電流を与えるために、電子回路手段、例えば図３に示されているようなＰＬＬ，Ｍ／Ｓ，ＬＤＤ  ＣＯＮ，ＷＳＧ，ＣＵＲを有するレーザドライバ装置ＬＤＤから制御電流を与えるステップと、
Ｓ３：上記電子回路手段に調節可能な電力供給ＲＥＧ＿ＳＵＰを施すステップと、
Ｓ４：光担体へのデータ書込み速度に応じて上記電子回路手段の少なくとも一部に対して上記電力供給の電力レベルＶＳＬを調整するステップと
を有する。
【００３８】
有利な実施の形態において、本発明は、供給電圧ＶＳＬとＬＤＤ３０の電子回路手段の１つ又はそれ以上の制御パラメータとの幾つかの特徴的な関係に基づいてプロセッサ５０が供給電圧ＶＳＬを決める反復手続きにより、電子回路手段に対する電力レベルＶＳＬの調節が行われるステップＳ５を更に含む。
【００３９】
具体的な実施の形態に関連して本発明が説明されたが、本発明は本明細書において述べられた具体的な形に限定されるように意図されてはいない。より正確には、本発明の範囲は、添付の特許請求の範囲によってのみ限定される。特許請求の範囲において、有するという表現は他の構成要素又はステップの存在を排除するものではない。また、個々の特徴が異なる請求項に含まれていることもあるが、これらは場合によっては有利に組み合わせられることができ、異なる請求項に含まれていることは特徴の組み合わせが実現可能及び／又は有利ではないことを意味してはいない。加えて、単数形での記載は複数を排除するものではない。従って、「a」、「an」、「first」、「second」等は複数を除外するものではない。更に、各請求項における参照符号は範囲を限定するように解釈されるべきではない。
【図面の簡単な説明】
【００４０】
【図１】本発明に係る光記録ドライブの一実施の形態の模式図である。
【図２】簡略化されたブロック図で本発明を説明している。
【図３】本発明に係るレーザドライバ装置（ＬＤＤ）のブロック図である。
【図４】供給電圧に依存する最大の位相同期ループ（ＰＬＬ）の周波数を示すグラフである。
【図５】本発明により得られる低減した電力消費を実証する２つのグラフを示している。
【図６】本発明に係る方法の流れ図である。
【図１】
2009514132.tif 000003
【図２】
2009514132.tif 000004
【図３】
2009514132.tif 000005
【図４】
2009514132.tif 000006
【図５】
2009514132.tif 000007
【図６】
2009514132.tif 000008